(57)【要約】【課題】  コッターピン及び割りピンの把持を、同一の把持部により、統一された操作で行うことが可能な把持用工具を提供する。【解決手段】  把持用工具１は、第１の把持部６及び第２の把持部８の先端部２２，４２に、湾曲部１２，１４に沿う方向にのびる挟持溝２４，４４を有し、かつ、第１の把持部６及び第２の把持部８の内側の先端部から根元部２５，４５にかけて断面凹状の嵌合凹部２６，４６を有する一対の把持用部材２，４を、把持用部材２，４の第１操作部１６及び第２操作部３６を閉めることにより、嵌合凹部によりコッターピンの円盤状頭部を把持し且つ該嵌合凹部により割りピンの円環状頭部を把持し、更に、挟持溝により割りピンの脚部を把持するように構成されている。【選択図】図１
2016046983.tif 000002
【特許請求の範囲】
【請求項１】
開閉する一対の支持部を有する間接支持工具の支持部の先端に装着され、被把持物を把持するための把持用工具であって、
前記把持用工具は、一対の把持用部材と、該一対の把持用部材の端に取り付けられる一対のアダプタとを備え、
一対の把持用部材は、一端に形成された把持部と、該把持部より延在された操作部とを有し、一対の把持用部材の交差部において軸をもって、互いに回動自在に枢結され、
前記把持部は、その先端部に断面略Ｖ字型ないしはＵ字型の挟持溝を形成され、且つその内側に被把持物の把持される部分の形状に対応する嵌合凹部が形成され、
前記一対の挟持溝は、挟持溝の溝底が被把持物の差し込み方向に沿ってのび、その間に被挟持物を挟持できるように対向し、挟持された被把持物の差し込み部分を差し込み方向に向けてのばすように形成され、
前記一対の嵌合凹部は、前記被把持物の差し込み方向とは同方向もしくは直交または交差する方向にのび、その間に被把持物を把持できるように対向している、
ことを特徴とする把持用工具。
【請求項２】
前記被把持物の把持される部分は、コッターピンの略円柱状の脚部の一端に形成されたより大径かつ略円盤状の頭部であり、
前記一対のアダプタは、前記一対の把持用部材の他端に取り付けられ、間接支持工具であるヤットコの支持部の先端に本把持用工具により把持されるコッターピンがその挿入すべき方向と同一方向を向くよう装着するように形成され、
前記嵌合凹部は、凹状溝であり、
前記凹状溝は、コッターピンの軸方向を差し込み方向に向けて前記一対の把持用部材の把持部を閉じることによりコッターピンの頭部を把持するとき、コッターピンの軸の差し込み方向とは直交又は交差する方向にのびている、
ことを特徴とする、請求項１に記載の把持用工具。
【請求項３】
前記被把持物の把持される部分は、割りピンの略円環状の頭部から互いに平行に延設された２本の脚部と、該脚部の根元に連接された略円環状の頭部であり、
前記一対のアダプタは、前記一対の把持用部材の他端に取り付けられ、間接支持工具であるヤットコの支持部の先端に本把持用工具により把持される割りピンの脚部がその挿入すべき方向と同一方向を向くよう装着するように形成され、
前記挟持溝は、割りピンの形状に対応する断面略Ｖ字型ないしはＵ字型であり、
前記嵌合凹部は凹状溝であり、
前記挟持溝及び嵌合凹部は、割りピンの差し込み方向にのびており、前記割りピンを把持するときは、前記一対の把持用部材の把持部を閉じることにより、前記挟持溝及び嵌合凹部により当該割りピンの脚部及び頭部が差し込み方向を向いてそれぞれ把持され、
かつ、前記一対の把持用部材は、一対の把持部の内側の根元部付近に断面円弧状の溝が形成され、該一対の把持用部材の把持部を全開したときに、割ピンの頭部に対応する球状面の底面の一部をなす凹部を有する押圧部を形成され、
前記押圧部に、割りピンの頭部を当接させて押し込むように形成された、
ことを特徴とする、請求項１に記載の把持用工具。
【発明の詳細な説明】
【技術分野】
【０００１】
本発明は、間接活線工法に用いられるヤットコ等の先端に装着され、割りピン及びコッターピン等の把持を行う把持用工具に関する。
【背景技術】
【０００２】
従来、例えば、間接活線工法等で用いられる器具類や部材を、間接的に支持して操作者とは離隔した位置に持ち上げる等移動させるための間接支持工具の一例である、絶縁ヤットコの先端に装着される工具として、例えば特許文献１に記載の把持工具があった。
この把持工具は、一対の握り部を閉じることにより一対の挾持片が閉じて割ピン等の小物を保持し、その一対の握り部を開くことにより保持されている小物を解放することのできるラジオペンチ状の間接活線用把持工具であって、前記一方の握り部に活線作業用の絶縁やっとこの一方の挾持部に着脱自在に取付けられる取付部を設け、その他方の握り部に他方の挾持部が当接される当接部を設けたことを特徴とし、間接活線作業でコッタピンから割ピンを取外すときのように、小物の把持に便利な間接活線用把持工具である。
【０００３】
また、特許文献２に記載のコッタピン、割ピン取付具および割ピン取外具は、コッタピン１と、割ピン１０と、取付具２０とを用い、碍子挟み工具で碍子４０を取付位置に把持し、一方の絶縁把持棒５０ａの掴み部５１ａでコッタピン１の把持部５を把持して碍子４０の連結孔４１にコッタピン１を挿入し、コッタピン１の挿入孔３を割ピン１０の挿入方向に向けた状態でコッタピン１を保持したまま、割ピン１０の頭部を取付具２０の保持孔に挿入して保持した割ピン１０を、他方の絶縁把持棒５０ｂの掴み部５１ｂで取付具２０の基部２１を把持して脚部のバネ力に抗して挿入孔３に挿入した後、割ピン１０を挿入孔３に残したまま、取付具２０のみを引き抜くように構成されている。
【０００４】
また、この特許文献３に記載のコッターピン着脱工具は、コッターピン把持部を第１ベース部の先端から突出する方向に弾発付勢して摺動可能に設けるとともに、割りピン保持部材を第２ベース部の先端から突出する方向に弾初付勢して摺動可能に設けるとともに、第１ベース部と第２ベース部とを互いに平行に保持することにより、碍子の交換作業の際のコッターピンと割りピンの抜き挿し作業をワンタッチで行えるものである。
【先行技術文献】
【特許文献】
【０００５】
【特許文献１】特開平１１−１９１９０６号公報
【特許文献２】特開２００８−１４１８９０号公報
【特許文献３】特開２０１２−２５３８８２号公報
【発明の概要】
【発明が解決しようとする課題】
【０００６】
しかしながら、この特許文献１に記載の把持工具は、割ピン等の小物を挟持する、挟持片が、平面状の挟持面で小物を挟持するように構成されているので、確実に小物を把持することを行えないものであった。
これに対し、特許文献２に記載のコッタピン、割ピン取付具および割ピン取外具は、割ピンを取り付けるための専用の取付具を必要とし、汎用性に乏しい。
また、特許文献３に記載のコッターピン着脱工具は、コッターピン及び割りピンの抜き差し作業を行えるものであるが、部品点数が多く、また、ワンタッチとは言え、割りピンの着脱操作とコッターピンの着脱操作とで、異なる操作を要し、作業効率がよくない。
【０００７】
本発明は、上記のような従来のものの問題点に鑑みてなされたもので、統一された操作により割りピン及びコッターピン等の異なる形状の把持を行え、高所作業の安全性を確保できる把持用工具を提供することを目的としている。
【課題を解決するための手段】
【０００８】
この発明にかかる把持用工具は、 開閉する一対の支持部を有する間接支持工具の支持部の先端に装着され、被把持物を把持するための把持用工具であって、
前記把持用工具は、一対の把持用部材と、該一対の把持用部材の端に取り付けられる一対のアダプタとを備え、
一対の把持用部材は、一端に形成された把持部と、該把持部より延在された操作部とを有し、一対の把持用部材の交差部において軸をもって、互いに回動自在に枢結され、
前記把持部は、その先端部に断面略Ｖ字型ないしはＵ字型の挟持溝を形成され、且つその内側に被把持物の把持される部分の形状に対応する嵌合凹部が形成され、
前記一対の挟持溝は、挟持溝の溝底が被把持物の差し込み方向に沿ってのび、その間に被挟持物を挟持できるように対向し、挟持された被把持物の差し込み部分を差し込み方向に向けてのばすように形成され、
前記一対の嵌合凹部は、前記被把持物の差し込み方向とは同方向もしくは直交または交差する方向にのび、その間に被把持物を把持できるように対向している、
ことを特徴とする。
この発明の請求項２にかかる把持用工具は、
前記被把持物の把持される部分は、コッターピンの略円柱状の脚部の一端に形成されたより大径かつ略円盤状の頭部であり、
一対のアダプタは、前記一対の把持用部材の他端に取り付けられ、間接支持工具であるヤットコの支持部の先端に本把持用工具により把持されるコッターピンがその挿入すべき方向と同一方向を向くよう装着するように形成され、
前記嵌合凹部は、凹状溝であり、
前記凹状溝は、コッターピンの軸方向を差し込み方向に向けて前記一対の把持用部材の把持部を閉じることによりコッターピンの頭部を把持するとき、コッターピンの軸の差し込み方向とは直交又は交差する方向にのびている、
ことを特徴とする。
この発明の請求項３にかかる把持用工具は、
前記被把持物の把持される部分は、割りピンの略円環状の頭部から互いに平行に延設された２本の脚部と、該脚部の根元に連接された略円環状の頭部であり、
前記一対のアダプタは、前記一対の把持用部材の他端に取り付けられ、間接支持工具であるヤットコの支持部の先端に本把持用工具により把持される割りピンの脚部がその挿入すべき方向と同一方向を向くよう装着するように形成され、
前記挟持溝は、割りピンの形状に対応する断面略Ｖ字型ないしはＵ字型であり、
前記嵌合凹部は凹状溝であり、
前記挟持溝及び嵌合凹部は、割りピンの差し込み方向にのびており、前記割りピンを把持するときは、前記一対の把持用部材の把持部を閉じることにより、前記挟持溝及び嵌合凹部により当該割りピンの脚部及び頭部が差し込み方向を向いてそれぞれ把持され、
かつ、前記一対の把持用部材は、一対の把持部の内側の根元部付近に断面円弧状の溝が形成され、該一対の把持用部材の把持部を全開したときに、割ピンの頭部に対応する球状面の底面の一部をなす凹部を有する押圧部を形成され、
前記押圧部に、割りピンの頭部を当接させて押し込むように形成された、
ことを特徴とする。
【発明の効果】
【０００９】
この発明によれば、統一された操作により割りピン及びコッターピン等の異なる形状の把持を行え、高所作業の安全性を確保できる把持用工具を提供することができる。
請求項２及び３の発明によれば、ヤットコを閉じることにより、これに連動して閉じる把持用工具の湾曲部の内側に、被把持物の把持される部分の形状に対応する形成されている嵌合凹部により、略円弧状またはわん曲状の把持される部分を有する被把持物を把持し、かつ、湾曲部の先端に形成されている断面略Ｖ字型ないしはＵ字型の挟持溝により、被把持物の差し込み部分を差し込み方向に向けてのばすように挟持するようにしたので、同一の把持用工具により、ヤットコを閉じるという共通の操作により、略円弧状の把持される部分を有する被把持物またはわん曲状の把持される部分を有する被把持物を把持することが可能となる。
【００１０】
また、この発明によれば、凹状溝である嵌合凹部により、コッターピンの略円盤状の頭部側面が把持されるので、コッターピンの軸方向を差し込み方向に向けて、前記嵌合凹部によりコッターピンの頭部を把持することが可能となる。
【００１１】
また、この発明によれば、凹状溝である嵌合凹部により、割りピンの円環状の頭部側面の一部が把持され、かつ、割りピンの脚部が挟持溝によりその差込み方向を向いて挟持されるので、割りピンの脚部及び頭部が差し込み方向を向いてそれぞれ把持することが可能となる。また、把持用部材を全開したときに、当該湾曲部同士の内側の根元付近に、その底面が球状面の一部をなす凹部が形成されるような湾曲形状の押圧部を有するようにしたので、押圧部に、割りピンの頭部を当接させて押し込むことが可能となる。
【００１２】
さらに、この発明によれば、把持用部材は、当該把持用部材の他端に形成された開口部に貫挿されたボルトにより、当該アダプタの上面に形成された把持用部材固定部の固定壁に固定され、前記把持用部材固定部の固定壁は、アダプタを支持するヤットコの主軸ののびる方向となす角度が９０度以下の鋭角である傾斜面に形成されているので、作業者がヤットコを傾けて保持したときに、把持用工具の差込み方向をその傾き方向から補正でき、作業者の作業が容易になる。
【００１３】
この発明の上述の目的、その他の目的、特徴及び利点は、図面を参照して行う以下の発明を実施するための形態の説明から一層明らかとなろう。
【図面の簡単な説明】
【００１４】
【図１】本発明の一実施の形態に係る把持用工具を示す斜視図である。
【図２】本発明の実施の形態に係る把持用工具を用いて碍子にコッターピンを取り付けるときの把持の様子を示す斜視図である。
【図３】本発明の実施の形態に係る把持用工具を用いて把持されるコッターピンの構成を示す斜視図である。
【図４】本発明の実施の形態に係る把持用工具を用いて把持される割りピンの構成を示す平面図である。
【図５】（Ａ）は本発明の実施の形態に係る把持用工具を構成する第１の把持用部材を示す斜視図であり、（Ｂ）は本発明の実施の形態に係る把持用工具を構成する第２の把持用部材を示す斜視図である。
【図６】本発明の実施の形態に係る把持用工具がヤットコの先端に装着された状態を示す図であり、（Ａ）ヤットコ先端とアダプタとの嵌合状態を示す斜視図、（Ｂ）はアダプタの断面図である。
【図７Ａ】本発明の実施の形態に係る把持用工具をヤットコに装着された構成例を示す斜視図である。
【図７Ｂ】本発明の実施の形態に係る把持用工具をヤットコに装着された構成例を示す斜視図である。
【図７Ｃ】本発明の実施の形態に係る把持用工具をヤットコに装着された構成例を示す斜視図である。
【図８】本発明の実施の形態に係る把持用工具がコッターピンを把持しているときの、把持部の嵌合凹部とコッターピンの頭部との嵌合状態を示す部分を断面とした斜視図である。
【図９】本発明の実施の形態に係る把持用工具を構成する把持部がアダプタに取り付けられた状態を示す斜視図である。
【図１０】本発明の実施の形態に係る把持用工具を構成する把持部が割りピンを把持した状態を示す図であり、（Ａ）は割りピンを把持した状態を示す全体図、（Ｂ）は把持部の嵌合凹部が割りピンの頭部の一部と嵌合している様子を示す箇所の断面図、（ｃ）は湾曲部先端の挟持溝が割りピンの脚部を挟持している様子を示す断面図である。
【図１１】本発明の実施の形態に係る把持用工具がヤットコに装着され、割りピンを把持している状態を示す斜視図である。
【図１２】本発明の実施の形態に係る把持用工具を用いて碍子に取り付けられたコッターピンに割りピンを挿入しようとする様子を示す斜視図である。
【図１３】本発明の実施の形態に係る把持用工具を用いてコッターピンに割りピンを挿入するときの様子を示す斜視図である。
【図１４】本発明の実施の形態に係る把持用工具の把持部に形成されている嵌合凹部の形状をより詳細に示す図であり、（Ａ）はその正面図、（Ｂ）はその側面図である。
【図１５】本発明の実施の形態に係る把持用工具を用いてコッターピンに割りピンを挿入するとき、把持部を全開にして割りピンを押し込む様子を示す図であり、（Ａ）は斜視図であり、（Ｂ）は一部を断面とした側面図である。
【発明を実施するための形態】
【００１５】
（実施の形態１） 
図１は、本発明の実施の形態１にかかる把持用工具を示す。
本把持用工具１は、把持用工具１を操作するための間接支持工具であるヤットコ５００の先端に装着され、略円柱状の脚部８０４及び脚部８０６の一端に形成されたより大径かつ略円環状の頭部８０２及び該頭部８０２より互いに平行に延設された２本の脚部８０４及び脚部８０６を有する割りピン８００等の被把持物を把持するための工具である。
【００１６】
把持用工具１は、ヤットコ５００の先端に装着され、少なくとも一端と他端とに略円弧状ないしはわん曲状の把持される部分を備える被把持物たるコッターピン６００及び被把持物たる割りピン８００を把持するための把持用工具１であって、前記把持用工具１は、第１の把持用部材２及び第２の把持用部材４と、これら第１の把持用部材２及び第２の把持用部材４の端に取り付けられる第１のアダプタ４１０及び第２のアダプタ４５０とを備える。
【００１７】
第１の把持用部材２及び第２の把持用部材４は、被把持物を把持する開閉作用部（第１の把持部６及び第２の把持部８）と、該開閉作用部に連接された操作するための操作部（第１操作部１６及び第２操作部３６）とを備える。
第１の把持用部材２は、開閉作用部たる第１の把持部６と操作部たる第１操作部１６とを連接されてなる。第２の把持用部材４は、開閉作用部たる第２の把持部８と操作部たる第２操作部３６とを連接されてなる。
第１の把持用部材２の第１の把持部６は、一端に形成された湾曲部１２を有し、第２の把持用部材４の第２の把持部８は、一端に形成された湾曲部１４を有している。
第１の把持用部材２と第２の把持用部材４とは、第１操作部１６及び第２操作部３６においてＸの字状に交差され、該交差した交差部において軸（軸止部材１８）をもって、対称にかつ互いに回動自在に軸止されている。
軸（軸止部材１８）を挟んで、第１の把持用部材２の第１の把持部６は、左側に位置し、第２の把持用部材４の第２の把持部８は、第１の把持部６とは反対側である右側に位置し、且つ、第１の把持用部材２の第１操作部１６は、第１の把持部６とは反対側である右側に位置し、第２の把持用部材４の第２操作部３６は、第１操作部１６とは反対側である左側すなわち第２の把持部８とは反対側に位置している。
而して、把持用工具１は、第１操作部１６と第２操作部３６とを軸（軸止部材１８）を中心にして開閉することによって、第１の把持部６と第２の把持部８とを開閉できるように構成されている。
【００１８】
湾曲部１２及び湾曲部１４は、その先端部２２及び先端部４２に断面略Ｖ字型ないしはＵ字型の挟持溝２４及び挟持溝４４を形成され、且つ該湾曲部湾曲部１２及び湾曲部１４は、その内側に被把持物（コッターピン６００）及び被把持物（割りピン８００）をその側面の把持される部分の形状に対応する嵌合凹部２６及び嵌合凹部４６を形成されている。
第１のアダプタ４１０及び第２のアダプタ４５０は、第１の把持用部材２の基端部３０及び第２の把持用部材４の基端部５０に取り付けられ、ヤットコ５００の先端に取り付けられた本把持用工具１により把持される被把持物（コッターピン６００）を挿入すべき方向と直交ないしは交差する方向を向いて及び被把持物（割りピン８００）をその挿入すべき方向と同一方向を向いて装着するように形成されている。
【００１９】
前記挟持溝２４及び挟持溝４４は、挟持溝２４の溝底２４ａ及び挟持溝４４の溝底４４ａが被把持物（割りピン８００）の差し込み方向に沿ってのび、挟持溝２４と挟持溝４４との間に被挟持物（割りピン８００）を挟持できるように対向し、挟持された被把持物（割りピン８００）の差し込み部分を差し込み方向に向けてのばすように形成されている。
前記嵌合凹部２６及び嵌合凹部４６は、前記被把持物たる割りピン８００の差し込み方向とは同方向もしくは被把持物たるコッターピン６００の差し込み方向とは直交または交差する方向にのびている。
該嵌合凹部２６及び嵌合凹部４６は、その間に被把持物たるコッターピン６００の頭部６０２又は割りピン８００の頭部８０２を把持できるように対向するように形成されている。
【００２０】
また、把持用工具１の第１の把持部６及び第２の把持部８によって把持される、被把持物たるコッターピン６００の把持される部分は、コッターピン６００の略円柱状の脚部６０４の一端（根元）に形成されたより大径かつ略円盤状の頭部６０２である。
被把持物たるコッターピン６００の差し込まれる部分は、コッターピン６００の略円柱状の脚部６０４であり、脚部６０４の高さ方向にコッターピン６００は差し込まれる。
【００２１】
第１のアダプタ４１０及び第２のアダプタ４５０は、前記第１の把持用部材２の基端部３０及び第２の把持用部材４の基端部５０に、すなわち第１操作部１６及び第２操作部３６の手元に取り付けられ、ヤットコ５００の先端に本把持用工具１により把持されるコッターピン６００の脚部６０４がその差し込み方向と同一方向を向くよう装着できるように形成されている。
前記嵌合凹部２６及び嵌合凹部４６は、凹状溝であり、コッターピン６００の差し込み方向とは直交または交差する方向にのびている。
前記第１の把持用部材２及び第２の把持用部材４は、前記コッターピン６００を把持するとき、それを閉じることにより、コッターピン６００の脚部６０４の軸方向を差し込み方向に向けて、前記嵌合凹部２６及び嵌合凹部４６により当該コッターピン６００の頭部６０２が把持されるように形成されている。
前記コッターピン６００を把持するときは、前記第１の把持用部材２の第１の把持部６及び第２の把持用部材４の第２の把持部８を閉じることにより、コッターピン６００の脚部６０４の軸方向を差し込み方向に向けて、前記嵌合凹部２６及び嵌合凹部４６により当該コッターピン６００の頭部６０２が把持される。そのとき、嵌合凹部２６及び嵌合凹部４６は、コッターピン６００の脚部６０４の差し込み方向とは直交又は交差する方向にのびている。
【００２２】
また、把持用工具１によって把持される、被把持物たる割りピン８００の把持される部分は、割りピン８００の互いに平行に延設された脚部８０４及び脚部８０６と、該脚部８０４及び脚部８０６の根元に連接された略円環状の頭部８０２である。
第１のアダプタ４１０及び第２のアダプタ４５０は、前記第１の把持用部材２の基端部３０及び第２の把持用部材４の基端部５０に、すなわち第１操作部１６及び第２操作部３６の手元に取り付けられ、ヤットコ５００の先端に本把持用工具１により把持される割りピン８００の脚部８０４及び脚部８０６がその差し込み方向と同一方向を向くよう装着できるように形成されている。
前記嵌合凹部２６及び嵌合凹部４６は、凹状溝であり、前記挟持溝２４及び挟持溝４４及び嵌合凹部２６及び嵌合凹部４６は、割りピン８００の差し込み方向にのびている。
前記割りピン８００を把持するときは、前記第１の把持用部材２の第１の把持部６及び第２の把持用部材４の第２の把持部８を閉じることにより、前記挟持溝２４及び挟持溝４４並びに嵌合凹部２６及び嵌合凹部４６により該割りピン８００の脚部８０４及び脚部８０６並びに頭部８０２が差し込み方向を向いてそれぞれ把持される。
かつ、前記第１の把持用部材２及び第２の把持用部材４は、一対の第１の把持部６の根元部２５の内側及び第２の把持部８の根元部４５の内側の付近に断面円弧状の溝６０及び断面円弧状の溝８０が形成され、該一対の第１の把持用部材２の第１の把持部６及び第２の把持用部材４の第２の把持部８を全開したときに、球状面の底面の一部をなす凹部を有する押圧部７０を形成されている。
第１の把持用部材２の押圧部７０は、断面円弧状の溝６０で形成され、第２の把持用部材４の押圧部７０は、断面円弧状の溝８０で形成されており、断面円弧状の溝６０と断面円弧状の溝８０とを合わせることにより、割りピン８００の頭部８０２に対応する形状となる。
前記押圧部７０は、割りピン８００の頭部８０２を当接させて押し込むように形成されている。
【００２３】
把持用工具１は、一対の把持用部材（第１の把持用部材２及び第２の把持用部材４）を備え、一方の半体を構成する第１の把持用部材２と他方の半体を構成する第２の把持用部材４とを交差させるとともに交差部を連結する軸（軸止部材１８）で枢結されている。
【００２４】
把持用部材を構成する第１の把持用部材２と第２の把持用部材４は、先端側に被把持物たる割りピン８００を把持する第１の把持部６と第２の把持部８とを有している。
第１の把持用部材２の第１の把持部６と第２の把持用部材４の第２の把持部８とは、前記交差部における軸（軸止部材１８）を通る線Ｌ1を中心にして左右対称であって、対向している。
【００２５】
第１の把持用部材２及び第２の把持用部材４は、前記交差部における軸（軸止部材１８）より基端部３０及び基端部５０側に直線棒状の第１操作部１６及び第２操作部３６を有している。
第１の把持用部材２の第１操作部１６と把持用部材４の第２操作部３６とは、前記交差部における軸（軸止部材１８）を通る線Ｌ1を中心にして左右対称であって、対向している。
【００２６】
第１の把持用部材２は、第１の把持部６より第１操作部１６の方がその厚さが薄く、且つ、第２の把持用部材４は、第２の把持部８より第２操作部３６の方がその厚さが薄い。
この実施の形態においては、第１の把持用部材２と第２の把持用部材４とは、対称形であり、第１操作部１６は第１の把持部６の厚さの半分位の厚さであり、第２操作部３６は第２の把持部８の厚さの半分位の厚さである。
而して、第１の把持用部材２の第１操作部１６を下側にし第２の把持用部材４の第２操作部３６を上側にして、第１操作部１６の第１の把持部６の近傍における交差部と第２の把持部８の第２操作部３６の近傍における交差部とを合わせて、Ｘの字状に交差した状態で軸止部材１８にて枢結されて、第１の把持部６と第２の把持部８とが対向し且つ第１操作部１６と第２操作部３６とが段違いに形成されて、はさみ形状となる。
【００２７】
第１の把持部６の一端に形成された湾曲部１２及び第２の把持部８の一端に形成された湾曲部１４と、該湾曲部１２の先端部２２に形成された挟持溝２４及び湾曲部１４の先端部４２に形成された挟持溝４４と、該第１の把持部６及び第２の把持部８の内側に形成された嵌合凹部２６及び先端部４２の内側に形成された嵌合凹部４６とは、それぞれ根元部２５及び根元部４５側に向けてのびるように形成されており、これらによって被把持物把持部２１０が形成されている。
湾曲部１２と湾曲部１４とは、対称形で対向している。
挟持溝２４と挟持溝４４とは、対称形で対向している。
嵌合凹部２６と嵌合凹部４６とは、対称形で対向している。
【００２８】
そして、挟持溝２４と挟持溝４４とにより断面略四角形の空隙が形成され且つ第１の把持用部材２の嵌合凹部２６及び第２の把持用部材４の嵌合凹部４６により略円形の空隙が形成されるとともに、軸孔２８及び軸孔４８に挿入される軸止部材１８により、互いに回動自在に軸止めすることにより、枢結軸を中心にして、対称に開閉する被把持物を把持するための被把持物把持部２１０が形成される。
【００２９】
第１の把持用部材２と第２の把持用部材４とを枢結する軸（軸止部材１８）をはさみ、対称にかつ互いに回動自在に枢結されている第１の把持用部材２及び第２の把持用部材４を、斜め方向に保持したヤットコ５００の先端に本把持用工具１を水平方向を向くよう装着するための、一対の第１のアダプタ４１０及び第２のアダプタ４５０を備える。
【００３０】
図において、本把持用工具１を構成する一方の第１の把持用部材２は、被把持物たるコッターピン６００及び割りピン８００を挟持する第１の把持部６と、その反対側にのびる略直方形の棒状の第１操作部１６とを有している。
【００３１】
第１の把持部６の湾曲部１２の先端部２２には、湾曲部１２の延在方向とは逆向きに凸となるように挟持溝２４が形成されている。すなわち、第１の把持用部材２の挟持溝２４は、湾曲部１２の先端部の手前側から向こう側に向かって割りピン８００の脚部８０４及び脚部８０６を差し込む方向に向かって、その溝底２４ａがのび、この溝底２４ａに向かって一対の溝壁２４ｂ及び２４ｃが形成され、横断面Ｖ字形の溝を形成されている。
【００３２】
本把持用工具１を構成する他方の第２の把持用部材４は、被把持物たるコッターピン６００及び割りピン８００を挟持する第２の把持部８とその反対側にのびる略長方形の棒状の第２操作部３６とを有している。
【００３３】
第２の把持部８の湾曲部１４の先端部４２には、湾曲部１４の延在方向とは逆向きに凸となるように挟持溝４４が形成されている。すなわち、第２の把持用部材４の挟持溝４４は、湾曲部１４の先端部の手前側から向こう側に向かって割りピン８００の脚部８０４及び脚部８０６を差し込む方向に向かって、その溝底４４ａがのび、この溝底４４ａに向かって一対の溝壁４４ｂ及び溝壁４４ｃが形成され、横断面Ｖ字形の溝を形成されている。
【００３４】
第１の把持用部材２の挟持溝２４と第２の把持用部材４の挟持溝４４とは、対称形で向き合っており、先端部２２と先端部４２とが合わさったときに、方形の挟持する孔が形成される。
【００３５】
図５は、図１の第１の把持用部材２及び第２の把持用部材４の構成を示す。
図５において、把持用工具１を構成する第１の把持用部材２の第１の把持部６の内側には、先端部２２から根元部２５にかけて断面凹状の嵌合凹部２６が形成されている。
把持用工具１を構成する第２の把持用部材４の第２の把持部８は、その内側に、先端部４２から根元部４５にかけて断面凹状の嵌合凹部４６が形成されている。
第１の把持用部材２の嵌合凹部２６と第２の把持用部材４の嵌合凹部４６とは、対称形で向き合っており、先端部２２と先端部４２とが合わさったとき、コッターピン６００の略円盤状の頭部６０２又は割りピン８００の輪環体の頭部８０２を外側から挟持するように、輪環状で横断面半円形の溝が対向している。
【００３６】
図１４（Ａ）及び図１４（Ｂ）に示すように、第１の把持用部材２及び第２の把持用部材４は、第１の把持部６の根元部２５及び第２の把持部８の根元部４５に、断面円弧状の溝６０及び断面円弧状の溝８０が形成されている。
該第１の把持用部材２の断面円弧状の溝６０及び第２の把持用部材４の断面円弧状の溝８０は、先端部２２と先端部４２とを全開したときに、図１５に示すように、この断面円弧状の溝６０及び断面円弧状の溝８０により、底面が球面状の凹部を有する押圧部７０を形成する。
押圧部７０を割りピン８００の円環状頭部８０２に当てて押し込むことにより、割りピン８００の押し込みを容易に実行できる。
割りピン８００の円環状頭部８０２は、割りピン８００の脚部８０４及び脚部８０６の差し込み方向に沿うすなわち脚部８０４及び脚部８０６ののびる方向に沿う手前側の領域を、第１の把持用部材２の断面円弧状の溝６０及び第２の把持用部材４の断面円弧状の溝８０によって、割りピン８００の脚部８０４を割りピン８００の差し込み方向に押すことができるように形成されている。
割りピン８００の円環状頭部８０２は、割りピン８００の脚部８０４及び脚部８０６の差し込み方向に沿うすなわち脚部８０４及び脚部８０６ののびる方向に沿う左側の領域及び右側の領域を、第１の把持用部材２の第１の把持部６及び第２の把持用部材４の第２の把持部８によって、割りピン８００の頭部８０２を割りピン８００の差し込み方向と交差する方向に押すことができるように形成されている。
【００３７】
また、第１の把持用部材２の第１の把持部６の根元部２５には、本第１の把持用部材２と略同型の第２の把持用部材４とを、互いに交差させて軸止部材１８により軸止するための軸孔２８が形成されるとともに、第１操作部１６の基端部３０には、本把持用工具１００をヤットコ５００の先端に取り付けるための第１のアダプタ４１０に取り付けるための開口部３２が形成されている。
【００３８】
また、第２の把持用部材４の第２の把持部８の根元部４５には、本第２の把持用部材４と同型の第１の把持用部材２とを、互いに交差させて軸止部材１８により軸止するための軸孔４８が形成されるとともに、第２操作部３６の基端部５０には、本把持用工具１をヤットコ５００の先端に取り付けるための第２のアダプタ４５０に取り付けるための開口部５２が形成されている。
【００３９】
図２は、本実施の形態１による把持用工具１により、コッターピン６００が把持されている様子を示す。
図において、コッターピン６００は、その略円盤状の頭部６０２が把持用工具１の第１の把持用部材２の第１の把持部６の湾曲部１２及び第２の把持用部材４の第２の把持部８の湾曲部１４により把持される。
【００４０】
また、図３及び図４は、本実施の形態１にかかる把持用工具により把持される被把持物たるコッターピン６００及び割りピン８００の構成例を示す図である。
図３図示コッターピン６００は、円筒状の脚部６０４の一端にこれより大径かつ略円盤状の頭部６０２が配設されており、脚部６０４の他端にはその長手方向と直交する方向に貫通孔６０６が形成されている。頭部６０２は、把持用工具１で把持される部分である。
【００４１】
図４図示割りピン８００は、断面半円状の部材を折り曲げることにより形成されるもので、円環状の頭部８０２とこの頭部８０２の一端より直線状に延びる脚部８０４及び頭部８０２より途中まで直線状に延び、端部が屈曲された脚部８０６より構成されている。
頭部８０２は、把持用工具１で把持される部分である。
特に、頭部８０２は、円環状の頭部８０２の中心を通り、脚部８０４及び脚部８０６ののびる方向と直交する線Ｌ2により区画される手元側の領域において、第１の把持用部材２の嵌合凹部２６と第２の把持用部材４の嵌合凹部４６とによって挟持される。
更に、脚部８０４及び脚部８０６は、第１の把持用部材２の先端部２２の挟持溝２４と第２の把持用部材４の先端部４２の挟持溝４４とによって、挟持される。
【００４２】
図６は、本実施の形態１による把持用工具１における第１の把持用部材２及び第２の把持用部材４を、ヤットコ５００の先端に装着するためのアダプタ（第１のアダプタ４１０及び第２のアダプタ４５０）の構成を示す。
この第１のアダプタ４１０は、縦断面コ字状の筐体部４１２を有しており、筐体部４１２は、その内部にヤットコ５００の先端部に形成された把持具５０４が挿入されるヤットコ収容部を備える。
筐体部４１２は、ヤットコ収容部を形成した外壁の外側に円筒状部４１４を突設されている。円筒状部４１４は、該円筒状部４１４に挿通され円筒状部４１４内に封入されたばね４１８により筐体部４１２内に向けて押圧付勢されるつまみ４１６が突出されている。
【００４３】
他方、第２のアダプタ４５０は、縦断面コ字状の筐体部４５２を有しており、筐体部４４２は、その内部にヤットコ５００の先端部に形成された把持具５０４が挿入されるヤットコ収容部を備える。
筐体部４５２は、ヤットコ収容部を形成した外壁の外側に円筒状部４５４を突設されている。円筒状部４５４は、該円筒状部４５４に挿通され円筒状部４５４内に封入されたばね４５８により筐体部４５２内に向けて押圧付勢されるつまみ４５６が突出されている。
【００４４】
第１の把持用部材２及び第２の把持用部材４は、該第１の把持用部材２の第１操作部１６の基端部３０の側に形成された開口部３２に貫挿されたねじ４８０及び第２の把持用部材４の第２操作部３６の基端部５０の側に形成された開口部５２に貫挿されたねじ４８０により、第１のアダプタ４１０の上面に形成された断面Ｖ字状の把持用部材固定部４２０及び第２のアダプタ４５０の上面に形成された断面Ｖ字状の把持用部材固定部４６０の一方の側面に固定されている。
前記ねじ４８０の頭の下面と前記第１の把持用部材２の基端部３０との間及びねじ４８０の頭の下面と前記第２の把持用部材４の基端部５０との間には、ばね４１８及びばね４５８が介挿されているものである。
更に、第１操作部１６は、第１のアダプタ４１０の把持用部材固定部４２０の固定壁４２２に直接接合して固定され、第１操作部１６より上側に位置する第２操作部３６は、第２のアダプタ４５０の把持用部材固定部４６０の固定壁４６２に高さ調整座金４６４を介して固定される。
【００４５】
また、前記Ｖ字状の把持用部材固定部４２０及び把持用部材固定部４６０は、第１の把持用部材２及び第２の把持用部材４の固定端である第１操作部１６及び第２操作部３６の当接する固定壁４２２及び固定壁４６２が斜め上方にのびている。
第１のアダプタ４１０の把持用部材固定部４２０の固定壁４２２及び第２のアダプタ４５０の把持用部材固定部４６０の固定壁４６２は、ヤットコ５００によって、把持用工具１を上向きに支持された場合、ヤットコ５００の主軸５０２と水平面との挟む角すなわち仰角Ａ1と同じ角度になるように、把持用部材固定部４２０に取り付けられた第１の把持用部材２及び把持用部材固定部４６０に取り付けられた第２の把持用部材４とヤットコ５００の主軸５０２の延長線との間における角度Ａ2を有している。
前記把持用部材固定部４２０及び把持用部材固定部４６０の固定壁４２２及び固定壁４６２は、第１のアダプタ４１０及び第２のアダプタ４５０を支持するヤットコ５００の主軸５０２ののびる方向とのなす角度が９０度以下の鋭角である傾斜面に形成されている。
把持用部材固定部４２０及び把持用部材固定部４６０を構成するＶ字状の溝壁面のなす角度が、３０度ないし６０度であるようにしたものである。
把持用部材固定部４２０に取り付けられた第１の把持用部材２及び把持用部材固定部４６０に取り付けられた第２の把持用部材４とヤットコ５００の主軸５０１の延長線との間における角度Ａ2は、４５度程度に形成されている。
【００４６】
また、図７は、本実施の形態１による把持用工具１が装着されるヤットコ５００の構成の一例を示す。
このヤットコ５００は、図７に示すように、絶縁性の主軸５０２と、この主軸５０２の先端に取り付けた開閉する把持具５０４と、この主軸５０２の基部に取り付けた操作具５０６と、前記把持具５０４の可動顎５１０と前記操作具５０６の操作レバー５０８とを連結し、この操作レバー５０８の手動操作を把持具５０４の把持操作に伝達する絶縁性の連結軸５１２とを備えている。
【００４７】
主軸５０２は、絶縁性のパイプで、中間部に樹脂製の絶縁傘５１６を嵌合固定し、基端にゴムキャップ５１８を取り付けている。
【００４８】
把持具５０４は、把持用工具１を支持する一対の支持部を構成しており、枢軸部を中心に開閉する。
把持具５０４は、基部を主軸５０２の先端に連結しボルト５２２とナット５２４で固定された絶縁性を有する固定顎（把持具５０４の本体部）５２０と、固定顎５２０の中間部に枢軸５２６と枢軸固定ナットで方向ａに回動可能に枢支された絶縁性を有する可動顎（把持具５０４の本体部）５１０とからなり、枢軸５２６を中心にして可動顎５１０と固定顎５２０とが開閉する。
固定顎５２０は、主軸５０２の先端に設けられた、先端ジョイント５２８に取り付けられている。
可動顎５１０は、連結部５３２がピン５３４で回動可能に連結されている。連結部５３２は、可動顎５１０と反対側端において連結軸５１２の先端に設けられた先端ジョイント５３８に固定されている。
【００４９】
操作具５０６は、主軸５０２の基部にリベットで固定された固定具５４０と、この固定具５４０にピン５４２で枢支された操作レバー５０８と、この操作レバー５０８を固定具５４０に対し常に回動方向ｂへ押し付ける巻きバネ５４４とからなる。操作レバー５０８には、連結軸５１２の基端ジョイント５４６がピン５４８で回動可能に連結されている。
【００５０】
連結軸５１２は、絶縁性のＦＲＰ製のパイプと、このパイプの先端にリベットで固定された先端ジョイント５３８と、このパイプの基端にリベットで固定された基端ジョイント５４６とからなる。
先端ジョイント５３８には、先端側に把持具５０４の可動顎５１０の連結部５３２がピン５３４で回動可能に連結されており、操作具５０６の操作レバー５０８を開放しているときに巻きバネ５４４の復元力によって把持具５０４の固定顎５２０との間の開口量が設定されている。
基端ジョイント５４６には、操作具５０６の操作レバー５０８の連結部がピン５４８で回動可能に連結されている。
【００５１】
上記構成において、把持具５０４の一対の可動顎５１０に第１のアダプタ４１０を装着し且つ固定顎５２０に第２のアダプタ４５０を装着し、操作具５０６の操作レバー５０８を作業者が把握すると、連結軸５１２がｃ方向へ移動し、この連結軸５１２の先端の先端ジョイント５３８に連結された可動顎５１０の連結部５３２がｃ方向へ移動し、可動顎５１０が固定顎５２０に近づくように枢軸５２６回りに回動し、この一対の可動顎５１０と固定顎５２０に装着された第１のアダプタ４１０及び第２のアダプタ４５０が近づく。
作業者が操作レバー５０８の把握を開放すると、巻きバネ５４４の復元力によって可動顎５１０と固定顎５２０との間は元の状態まで開き、第１のアダプタ４１０及び第２のアダプタ４５０が離れる。
【００５２】
図２に示すように、コッターピン６００及び割りピン８００が取り付けられる碍子２１００は、その一端に、取付け部２１１０が配設されている。取付け部２１１０は、碍子２１００の端部よりそれぞれ図中水平方向に突出する側壁部２１１２及び側壁部２１１４を有し、側壁部２１１２及び側壁部２１１４の先端には図中垂直方向に貫通孔２１１６及び貫通孔２１１８が形成されている。
また、引留め金具２１２０及び引留め金具２１３０は、この取付け部２１１０の側壁部２１１２及び側壁部２１１４に間にその一端の折り曲げ部２１２２及び折り曲げ部２１３２がそれぞれ挿入される。これら折り曲げ部２１２２及び折り曲げ部２１３２には、貫通孔２１２４及び貫通孔２１３４がそれぞれ形成されている。
【００５３】
次に、本把持用工具１の使用方法について説明する。
まず、つまみ４１６及びつまみ４５６を引きながら、第１のアダプタ４１０及び第２のアダプタ４５０にヤットコ５００の先端をそれぞれ挿入し、つまみ４１６及びつまみ４５６を放すことで、図６（Ｂ）に示すように、つまみ４１６及びつまみ４５６に内蔵されたばね４１８及びばね４５８の押圧付勢力により本把持用工具１がヤットコ５００に固定される。
次に、ヤットコ５００の操作レバー５０８を開くことで、ヤットコ５００の先端の把持具５０４も開き、これに伴って本把持用工具１の第１の把持部６と第２の把持部８とが開く。その把持用工具１の第１の把持部６と第２の把持部８とが開いた状態において、湾曲部１２と湾曲部１４との間に形成された空間内にコッターピン６００の略円盤状の頭部６０２を収め、ヤットコ５００の操作レバー５０８を閉じる方向で操作する。図８に示すように、湾曲部１２及び湾曲部１４の嵌合凹部２６及び嵌合凹部４６は、予め、コッターピン６００の略円盤状の頭部６０２の側面形状に合致するように形成してあり、上述のヤットコ５００の把持具５０４を閉じる操作により、コッターピン６００の頭部６０２の手前の両側のほぼ全体は、その両側から締め付けられ、上記嵌合凹部２６及び嵌合凹部４６にコッターピン６００の略円盤状の頭部６０２の側面が嵌ることにより固定される。
【００５４】
この状態で、主軸５０２の長手方向が図中水平方向に対し約４５度の角度となるように傾けて、ヤットコ５００を持ち上げると、図９に示すように、第１のアダプタ４１０及び第２のアダプタ４５０の把持用部材固定部４２０及び把持用部材固定部４６０は、それぞれその固定壁４２２及び固定壁４６２が約４５度の角度をなすことから、第１の把持用部材２及び第２の把持用部材４は、第１のアダプタ４１０及び第２のアダプタ４５０の高さ方向に対し約４５度傾き、これにより、ほぼ図中水平方向を向き、コッターピン６００は、その差込み方向、すなわち、ほぼ図中垂直方向を向く。このとき、第１の把持用部材２の第１操作部１６は、第１のアダプタ４１０にばね４１８を介在してねじ４７０でねじ止めされており、第２の把持用部材４の第２操作部３６は、第２のアダプタ４５０にばね４５８を介在してねじ４７０でねじ止めされており、第１操作部１６及び第２操作部３６を取り付ける際のがたつきが解消される。
【００５５】
次いで、碍子２１００の取付け部２１１０に、側壁部２１１２付近及び折り曲げ部２１３２付近がそれぞれ「く」字状に折り曲げられた引留め金具２１２０及び引留め金具２１３０を互いに軸対称となるように、それぞれの一端を挿入する。碍子２１００の略コ字状の取付け部２１１０には垂直方向に貫通孔２１１６及び貫通孔２１１８が形成されており、貫通孔２１１６及び貫通孔２１１８と、引留め金具２１２０及び引留め金具２１３０の一端にそれぞれ形成されている貫通孔２１３２及び貫通孔２１３４とを位置合わせし、その位置合わせされた折り曲げ部２１３２及び貫通孔２１３４を目標として、コッターピン６００をほぼ垂直方向に保持しているヤットコ５００を持ち上げ、コッターピン６００をその貫通孔６０６が碍子取付け部２１１０の挿入側とは反対側より露出するように碍子取付け部２１１０に嵌め込む。この時、碍子２１００の重みにより、嵌め込んだコッターピン６００は、落下しない。
【００５６】
また、ヤットコ５００は、コッターピンを把持する際も、碍子取付け部に挿入する際も、第１の把持部６及び第２の把持部８の嵌合凹部２６及び嵌合凹部４６は、コッターピン６００の頭部６０２に引っかかるので、把持しやすい。
次に、ヤットコ５００の操作レバー５０８を開くことで、コッターピン６００を離し、コッターピン６００の貫通孔６０６に割りピン８００を挿入する。
【００５７】
この割りピン８００の挿入は、以下のように行う。
すなわち、ヤットコ５００の操作レバー５０８を開き、本把持用工具１の湾曲部１２及び湾曲部１４の根元の嵌合凹部２６及び嵌合凹部４６に割りピン８００の円環状の頭部８０２を、湾曲部１２の先端部２４の挟持溝２４及び湾曲部１４の先端部４４の挟持溝４４に割りピン８００の脚部８０４及び脚部８０６をそれぞれ納め、次いで操作レバー５０８を閉じることで、図１０（Ａ）に示すように割りピン８００を挟む。
【００５８】
割りピン８００を挟むとき、図１０（Ｂ）に示すように、湾曲部１２及び湾曲部１４に形成された各嵌合凹部２６及び嵌合凹部４６に、割りピン８００の円環部の２箇所が嵌まることによりこれに支持され、かつ、図１０（Ｃ）に示すように、円環部より差込み方向に延びる２本の脚部８０４及び脚部８０６はその中間部で湾曲部１２及び湾曲部１４の先端部２２及び先端部４２に形成された挟持溝２４及び挟持溝４４により４点支持される。
これにより、割りピン８００が脱落したり断面半円形の脚部８０４及び脚部８０６が回転したりすることなく安定して挟める。
また、割りピン８００を把持したとき、先端部２２及び先端部４２、すなわち割りピン８００の脚部８０４及び脚部８０６が閉じて狭くなるので、コッターピン６００の貫通孔６０６に挿入しやすくなる。
この状態で、ヤットコ５００の主軸５０２の長手方向が図中水平方向に対し約４５度の角度となるようにヤットコ５００を持ち上げると、第１のアダプタ４１０及び第２のアダプタ４５０の把持用部材固定部４２０及び把持用部材固定部４６０を形成する固定壁４２２及び固定壁４６２が主軸５０２の長手方向の線とのなす角度が４５度傾くことから、第１の把持用部材２及び第２の把持用部材４は、第１のアダプタ４１０及び第２のアダプタ４５０の高さ方向に対し約４５度傾く。
これにより、図１１に示すように、第１の把持用部材２及び第２の把持用部材４は、ほぼ図中水平方向を向き、割りピン８００は、その差込み方向、すなわち、ほぼ図中水平方向を向く。このとき、第１の把持用部材２の基端部３０及び第２の把持用部材４の基端部５０は、第１のアダプタ４１０及び第２のアダプタ４５０にばね４１８及びばね４５８を介在してねじ止めされており、基端部３０及び基端部５０を取り付ける際のがたつきが解消される。
この状態で、図１２に示すように、碍子２１００の取り付け部２１１０に図中垂直方向に取り付けられたコッターピン６００の、図中水平方向に向いている貫通孔６０６を目標とし、該目標に向けてヤットコ５００を移動させることで、割りピン８００の脚部８０４及び脚部８０６は、コッターピン６００の貫通孔６０６に挿入される。
【００５９】
このとき、コッターピン６００の貫通孔６０６に挿入される割りピン８００の脚部８０４及び脚部８０６は、第１の把持用部材２及び第２の把持用部材４の先端部２２及び先端部４２によって把持された部分より先の部分である。図１３に示すように、第１の把持部６及び第２の把持部８が邪魔をして、割りピン８００の脚部８０４及び脚部８０６における、第１の把持部６及び第２の把持部８の先端部２２及び先端部４２に把持された部分から円環状頭部６０２までの領域は、コッターピン６００の貫通孔６０６に挿入できないことがある。
この場合、本把持用工具１による把持をいったん解除して、割りピン８００をコッターピン６００の貫通孔６０６に押し込む必要がある。
そのために、本把持用工具１は、押圧部７０により、割りピン８００を押し込むように形成されている。
そこで、ヤットコ５００の操作レバー５０８を開き、本把持用工具１の第１の把持部６及び第２の把持部８を全開となるように開く。
これにより、図１４（Ａ）及び図１４（Ｂ）に示すように、第１の把持用部材２及び第２の把持用部材４の根元部２５及び根元部４５の断面円弧状の溝６０及び断面円弧状の溝８０が現れる。
図１５に示すように、この断面円弧状の溝６０及び断面円弧状の溝８０により形成される、押圧部７０における底面が球面状の凹部に、コッターピン６００に一部が挿入された割りピン８００の円環状頭部８０２を当てて、割りピン８００を押し込む。
このように、把持用工具１は、押圧部７０により割りピン８００の押し込みを容易に実行できる。
【００６０】
このように、本実施の形態１によれば、ヤットコ５００の先端に装着される把持用工具１の第１の把持部６及び第２の把持部８の先端部２２及び先端部４２に挟持溝２４及び挟持溝４４を、第１の把持部６の根元部２５及び第２の把持部８の根元部４５にかけて嵌合凹部２６及び嵌合凹部４６を、それぞれ形成し、コッターピン６００を把持する際は、その円盤状の頭部６０２を嵌合凹部２６及び嵌合凹部４６により把持し、且つ、コッターピン６００に挿入すべき割りピン８００を把持する際は、前記挟持溝２４及び挟持溝４４によりその脚部８０４及び脚部８０６を、前記嵌合凹部２６及び嵌合凹部４６によりその円環状の頭部８０２をそれぞれ把持することができる。
前記コッターピン６００の貫通孔６０６に前記割りピン８００を挿入する際、前記湾曲部１２及び湾曲部１４が邪魔になる場合は、該把持用工具１の第１の把持部６及び第２の把持部８を全開した状態で第１の把持部６の根元部２５及び第２の把持部８の根元部４５に形成される断面円弧状の溝６０及び断面円弧状の溝８０に割りピン８００の円弧状頭部８０２を当てて押し込むように形成されている。
而して、コッターピン６００を把持する際も碍子２１００に挿入する際もその円盤状の頭部６０２が嵌合凹部２６及び嵌合凹部４６に引っかかることにより、把持し易く、また、割りピン８００をコッターピン６００の貫通孔６０６に挿入する際は挟持溝２４及び挟持溝４４と嵌合凹部２６及び嵌合凹部４６とにより割りピン８００を安定して把持でき、かつ、割りピン８００を把持した際に、割りピン８００の脚部８０４及び脚部８０６が閉じて狭くなるので、その挿入が容易となる。
【００６１】
また、割りピン８００をコッターピン６００の貫通孔６０６に途中まで挿入した時点で、本把持用工具１の第１の把持部６及び第２の把持部８の先端部２２及び先端部４２が邪魔になる場合は、本把持用工具１の第１の把持部６及び第２の把持部８を全開することで、第１の把持部６及び第２の把持部８の根元に断面円弧状の溝６０及び断面円弧状の溝８０が現れるようにしたので、この断面円弧状の溝６０及び断面円弧状の溝８０からなる押圧部７０に割りピン８００の円環状頭部８０２を当てて押し込むことにより、割りピン８００の脚部８０４及び脚部８０６を頭部８０２の根元まで完全に押し込むことが容易となる。
従って、部品点数の少ない同一の把持用工具１により、コッターピン６００と割りピン８００とのいずれをも把持でき、かつその把持操作を、把持用工具１が装着されたヤットコ５００を閉める、という同一の動作により実現できる。
【００６２】
なお、上記実施の形態１では、把持部の先端部に挟持溝として三角溝を形成するようにしたが、これは丸溝もしくは四角溝であってもよい。
また、アダプタに形成するＶ字状溝からなる把持用部材固定部４２０及び把持用部材固定部４６０は、その両側面のなす角度を約４５度としたが、これは約３０度ないし約６０度の間の角度としてもよい。
【産業上の利用可能性】
【００６３】
この発明にかかる把持用工具は、間接活線工法において、絶縁ヤットコの先端に装着し、コッターピン及び割りピンを、装着するのに適する。
【符号の説明】
【００６４】
１，１００  把持用工具
２  第１の把持用部材
４  第２の把持用部材
６  第１の把持部
８  第２の把持部
１２，１４  湾曲部
１６  第１操作部
１８  軸止部材
２２，４２  先端部
２４，４４  挟持溝
２４ａ，４４ａ  溝底
２４ｂ，２４ｃ，４４ｂ，４４ｃ  溝壁
２５，４５  根元部
２６，４６  嵌合凹部
２８，４８  軸孔
３０，５０  基端部
３２，５２  開口部
３６  第２操作部
６０，８０  断面円弧状の溝
７０  押圧部
２１０  被把持物把持部
４１０  第１のアダプタ
４１２，４５２  筐体部
４１４，４５４  円筒状部
４１６，４５６  つまみ
４１８，４５８  ばね
４２０，４６０  把持用部材固定部
４２２，４６２  固定壁
４５０  第２のアダプタ
４７０，４８０  ねじ
４６４  高さ調整座金
５００  ヤットコ
５０２  主軸
５０４  把持具
５０６  操作具
５０８  操作レバー
５１０  可動顎
５１２  連結軸
５１６  絶縁傘
５１８  ゴムキャップ
５２０  固定顎
５２２  ボルト
５２４  ナット
５２６  枢軸
５２８，５３８  先端ジョイント
５３２  連結部
５３４，５４８，５４２  ピン
５４０  固定具
５４４  巻きバネ
５４６  基端ジョイント
６００  コッターピン
６０２  頭部
６０４  脚部
６０６  貫通孔
８００  割りピン
８０２  頭部
８０４，８０６  脚部
２１００  碍子
２１１０  取付け部
２１１２，２１１４  側壁部
２１１６，２１１８  貫通孔
２１２０，２１３０  引留め金具
２１２２，２１３２  折り曲げ部
２１２４，２１３４  貫通孔
【図１】
2016046983.tif 000003
【図２】
2016046983.tif 000004
【図３】
2016046983.tif 000005
【図４】
2016046983.tif 000006
【図５】
2016046983.tif 000007
【図６】
2016046983.tif 000008
【図７Ａ】
2016046983.tif 000009
【図７Ｂ】
2016046983.tif 000010
【図７Ｃ】
2016046983.tif 000011
【図８】
2016046983.tif 000012
【図９】
2016046983.tif 000013
【図１０】
2016046983.tif 000014
【図１１】
2016046983.tif 000015
【図１２】
2016046983.tif 000016
【図１３】
2016046983.tif 000017
【図１４】
2016046983.tif 000018
【図１５】
2016046983.tif 000019